(57)【要約】【課題】合成樹脂製などの遊技板へのガイドレール取付精度を向上でき、合成樹脂製などの遊技板へのガイドレール取付姿勢の調整もできる遊技機を提供する。【解決手段】合成樹脂製の遊技板６０に形成されたピン挿入孔６１と、発射された遊技球を案内するレール５２を支持する挟持支持ピン７０とを備え、挟持支持ピン７０は、ピン挿入孔６１に挿入装着される回動可能な挿入装着部７１と、この挿入装着部７１に連設されて遊技板６０の板面から前方に突出した突出部７３とを備え、突出部７３はレール５２の一方の長辺を遊技板６０に近接させるようにしてレール５２を遊技板６０上に立設させた状態で挟持する挟持部７５を備えているので、従来例のような下穴形成および割りピン形状釘の打ち付けを不必要とすることができ、下穴形成精度に起因するガイドレール取付精度の低下の問題を解消でき、持支持ピン７０を回動させて微調整することもできる。【選択図】図４
2008043433.tif 000002
【特許請求の範囲】
【請求項１】
遊技球が打ち込まれる遊技領域が形成される遊技盤を備えた遊技機において、
前記遊技盤は、
基体としての遊技板と、
遊技球発射手段から発射された遊技球を前記遊技盤の遊技領域に案内するための、前記遊技板に設けられる長尺状のレール部材と、
前記遊技板における前記レール部材の配設箇所のうちの所定箇所に形成された貫通孔と、
前記遊技板の前記貫通孔に一部が挿入装着された状態で前記レール部材を支持する装着支持部材と、
を備え、
前記装着支持部材は、
前記貫通孔に挿入されて装着される回動可能な挿入装着部と、
前記挿入装着部に連設され、前記遊技板の板面から当該遊技板の前方に突出した突出部と、
を備え、
前記突出部は、前記レール部材の一方の長辺を前記遊技板に近接または当接させるようにして当該レール部材を前記遊技板上に立設させた状態で挟持する挟持部を備えている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、遊技球が打ち込まれる遊技領域が形成される遊技盤を備えている。この遊技盤は、基体としての遊技板と、遊技球発射装置から発射された遊技球を遊技板の左側を経由してその上部に案内するガイドレールとを備えている。ガイドレールは、発射された遊技球が強く接触する部分であり、また、遊技板の上部に安定かつ正確に案内する必要があるため、変形し難いものを採用する必要があり、かつ、遊技板に対する取付精度（取付位置や取付姿勢の精度）も要求される。
【０００３】
具体的には、遊技板は合板で形成され、ガイドレールは側面視で帯状の金属製部材であり、底面視でその金属製部材の縁の少なくとも一部を直角に折り曲げた取付部を備えた形状となっている。ガイドレールの取付部に形成された挿入孔に割りピン形状釘の一方の釘部分を挿入して当該割りピン形状釘で取付部を挟んだ状態でその割りピン形状釘を遊技板に打ち込むことで、ガイドレールが固定されている。
【０００４】
また、上記と異なるガイドレール固定方法としては、ガイドレールの外側（遊技球と接する面とは反対側の面）および前面側（遊技板と接する部分とは反対側）の一部を覆う樹脂成型された取付部品と遊技板とでガイドレールを挟んで固定するものがある。
【０００５】
さらに近年では、遊技板の材質は、合板に限らず、透明な合成樹脂製のものも登場し始めている。この透明樹脂の遊技板の裏面側に表示装置を設けて大きな表示画像による演出を実現しているものがある（例えば、特許文献１参照）。
【特許文献１】特開２００５−１３１３２２号公報（第６頁、第３図，第６図）
【発明の開示】
【発明が解決しようとする課題】
【０００６】
しかしながら、このような構成を有する従来例の場合には、次のような問題がある。
すなわち、従来のパチンコ機では、例えば、合成樹脂製の遊技板に対して従来どおりのガイドレールの固定構造を採用する、つまり、前述の割りピン形状釘での固定方法では、下穴（割りピン形状釘の径よりも小さな径の穴のこと）が無ければ、木材より硬い合成樹脂製の遊技板に割りピン形状釘を差し込むことができないため、下穴が必要である。この下穴の位置および大きさは、ガイドレール取付機でのガイドレールの割りピン形状釘位置に合わせて正確に設けないといけないのであるが、下穴の位置や大きさの僅かなずれで、ずれた位置の下穴に割りピン形状釘が案内されて打ち付けられることで割りピン形状釘が斜め打ちされたり、僅かに大きい下穴に割りピン形状釘が打ち付けられることで緩んで付いていたりして、ガイドレールが正規の取付状態とは異なった状態となっていることがあり、ガイドレールの取付精度が低下するという問題がある。つまり、ガイドレール取付機の精度でガイドレールを取り付けることができず、下穴形成精度の影響を受けてしまう。その結果、合板の遊技板の場合と比べて発射精度が低下するという問題が生じる。
【０００７】
また、打ち付け位置ずれ等のある割りピン形状釘を調整するために、当該割りピン形状釘の釘方向を軸としてその軸周りに回動させる調整を行ってしまうと、その釘は合成樹脂製の遊技板に対して緩んでしまい、このような調整はできないという問題もある。
【０００８】
なお、この問題は、合板の遊技板では生じていなかったことであり、合成樹脂製などの遊技板を採用することで生じるものである。
【０００９】
また、前述したように樹脂成型された取付部品と遊技板とでガイドレールを挟んで固定する構造では、取付後の微調整ができず、遊技場（ホール）設置後のガイドレールの調整ができないという問題がある。
【００１０】
本発明は、このような事情に鑑みてなされたものであって、合成樹脂製の遊技板へのガイドレール取付精度を向上させることができ、合成樹脂製の遊技板へのガイドレール取付姿勢の調整もできる遊技機を提供することを目的とする。
【課題を解決するための手段】
【００１１】
この発明は、このような目的を達成するために、次のような構成をとる。
すなわち、請求項１に記載の発明は、
遊技球が打ち込まれる遊技領域が形成される遊技盤を備えた遊技機において、
前記遊技盤は、
基体としての遊技板と、
遊技球発射手段から発射された遊技球を前記遊技盤の遊技領域に案内するための、前記遊技板に設けられる長尺状のレール部材と、
前記遊技板における前記レール部材の配設箇所のうちの所定箇所に形成された貫通孔と、
前記遊技板の前記貫通孔に一部が挿入装着された状態で前記レール部材を支持する装着支持部材と、
を備え、
前記装着支持部材は、
前記貫通孔に挿入されて装着される回動可能な挿入装着部と、
前記挿入装着部に連設され、前記遊技板の板面から当該遊技板の前方に突出した突出部と、
を備え、
前記突出部は、前記レール部材の一方の長辺を前記遊技板に近接または当接させるようにして当該レール部材を前記遊技板上に立設させた状態で挟持する挟持部を備えている
ことを特徴とするものである。
【００１２】
［作用・効果］請求項１に記載の発明によれば、遊技機は、遊技球が打ち込まれる遊技領域が形成される遊技盤を備えている。この遊技盤は、基体としての遊技板を備えている。遊技板に設けられる長尺状のレール部材は、遊技球発射手段から発射された遊技球を遊技盤の遊技領域に案内する。遊技板におけるレール部材の配設箇所のうちの所定箇所に貫通孔が形成され、装着支持部材は、その一部が遊技板に挿入装着されてレール部材を支持する。この装着支持部材は、挿入装着部と突出部とを備えている。挿入装着部は、遊技板の貫通孔に挿入されて装着され、回動可能となっている。突出部は、挿入装着部に連設され、遊技板の板面から当該遊技板の前方に突出しており、挟持部を備えている。この挟持部は、レール部材の一方の長辺を遊技板に近接または当接させるようにして当該レール部材を遊技板上に立設させた状態で挟持する。
【００１３】
したがって、装着支持部材は、その挿入装着部を遊技板の貫通孔に挿入装着させて、その突出部の挟持部でレール部材を挟持してレール部材を支持することができるので、従来例のような下穴形成および割りピン形状釘の打ち付けを不必要とすることができ、下穴形成精度に起因するガイドレール取付精度の低下の問題を解消することができる。
【００１４】
また、装着支持部材は、その挿入装着部が遊技板の貫通孔に挿入装着された状態において回動可能であるので、その支持するレール部材が自然な姿勢となるように挿入装着部を回動させて微調整することもできるし、遊技機の遊技場（ホール）への設置後にレール部材の取付姿勢の調整も行うことができる。
【００１５】
また、装着支持部材の挿入装着部が遊技板の貫通孔に遊嵌（回動可能に嵌合されているという意味）されている場合には、その支持するレール部材の反り状態が自然な反り状態となるように挿入装着部が回動されるので、装着支持部材を調整要らずとすることができる。
【００１６】
その結果、合成樹脂製などの遊技板へのレール部材（例えばガイドレール）の取付精度を向上させることができ、合成樹脂製などの遊技板へのレール部材（例えばガイドレール）取付姿勢の調整もできる遊技機を提供することができる。
【００１７】
なお、本明細書は、次のような遊技機に係る発明も開示している。
【００１８】
（１）  請求項１に記載の遊技機において、
前記装着支持部材は棒状部材であり、
前記棒状部材の基端側を前記挿入装着部とし、前記棒状部材での前記挿入装着部以外の箇所を前記突出部とし、
前記挿入装着部は、前記遊技板の前記貫通孔に係止する係止部を備えている
ことを特徴とする遊技機。
【００１９】
前記（１）に記載の発明によれば、装着支持部材は棒状部材であり、この棒状部材の基端側を挿入装着部とし、かつ、棒状部材での挿入装着部以外の箇所を突出部としている。さらに、挿入装着部は、遊技板の貫通孔に係止する係止部を備えている。つまり、この棒状部材の基端側たる挿入装着部を遊技板の貫通孔に挿入してその係止部が貫通孔に係止された装着状態において、この棒状部材が回動可能となっている。したがって、レール部材を支持する装着支持部材として、棒状部材を採用することができ、貫通孔に挿入されて装着される回動可能な挿入装着部を好適に実現することができる。
【００２０】
（２）  前記（１）に記載の遊技機において、
前記貫通孔は、同一の中心線を軸としその孔径が異なる第１孔と第２孔とを前記遊技板の前面側から裏面側にかけてその順番に形成された同軸二段孔構造であり、前記遊技板の裏面側に位置する前記第２孔の方が前記遊技板の前面側に位置する前記第１孔よりも孔径が大きくなっており、
前記挿入装着部の前記係止部は、前記遊技板の前記貫通孔の前記第２孔に係止する
ことを特徴とする遊技機。
【００２１】
前記（２）に記載の発明によれば、貫通孔は、同一の中心線を軸としその孔径が異なる第１孔と第２孔とを遊技板の前面側から裏面側にかけてその順番に形成された同軸二段孔構造となっている。そして、遊技板の裏面側に位置する第２孔の方が、遊技板の前面側に位置する第１孔よりも孔径が大きくなっている。挿入装着部の係止部は、遊技板の貫通孔の第２孔に係止する。したがって、貫通孔に挿入されて装着される回動可能な挿入装着部を好適に実現することができる。
【００２２】
（３）  前記（２）に記載の遊技機において、
前記突出部は、その遊技板に近い側に設けられた、前記第１孔の孔径よりも大きい鍔部と、前記鍔部に連設され、前記レール部材が当接される当接面を有する半円柱部と、前記半円柱部での前記鍔部とは反対側の先端側で前記当接面の上方に延出した延出部とを備え、
前記挟持部は、
前記延出部での前記鍔部に向いた箇所に形成された、前記レール部材の両長辺のうちで前記遊技板から遠い方の一辺が挿入される第１窪み部と、前記鍔部での前記第１窪み部側の所定箇所に形成された、前記レール部材の両長辺のうちで前記遊技板に近い方の一辺が挿入される第２窪み部と、を備え、前記レール部材の一方の長辺を前記第１窪み部に挿入し、かつ、前記レール部材の他方の長辺を前記第２窪み部に挿入することで、前記レール部材の両長辺のうちで前記遊技板に近い方の一辺を前記遊技板に近接または当接させるようにして当該レール部材を前記遊技板上に立設させた状態で挟持している
ことを特徴とする遊技機。
【００２３】
前記（３）に記載の発明によれば、突出部は、その遊技板に近い側に設けられた、第１孔の孔径よりも大きい鍔部と、この鍔部に連設され、レール部材が当接される当接面を有する半円柱部と、この半円柱部での鍔部とは反対側の先端側で当接面の上方に延出した延出部と、を備えている。挟持部は、延出部での鍔部に向いた箇所に形成された、レール部材の両長辺のうちで遊技板から遠い方の一辺が挿入される第１窪み部と、鍔部での第１窪み部側の所定箇所に形成された、レール部材の両長辺のうちで遊技板に近い方の一辺が挿入される第２窪み部と、を備え、レール部材の一方の長辺を第１窪み部に挿入し、かつ、レール部材の他方の長辺を第２窪み部に挿入することで、レール部材の両長辺のうちで遊技板に近い方の一辺を遊技板に近接または当接させるようにしてこのレール部材を遊技板上に立設させた状態で挟持している。したがって、装着支持部材は、遊技板の貫通孔に挿入装着された状態で回動可能であり、かつ、レール部材を遊技板上に立設姿勢に保持できる。
【００２４】
（４）  前記（３）に記載の遊技機において、
前記第１窪み部は、前記当接面と、前記延出部での前記鍔部へ向けて突き出た第１掛り代部とを、前記レール部材の板厚程度に間隔を空けることで形成され、
前記第２窪み部は、前記当接面と、前記鍔部での前記延出部へ向けて突き出た第２掛り代部とを、前記レール部材の板厚程度に間隔を空けることで形成されている
ことを特徴とする遊技機。
【００２５】
前記（４）に記載の発明によれば、第１窪み部は、半円柱部の当接面と、延出部での鍔部へ向けて突き出た第１掛り代部とを、レール部材の板厚程度に間隔を空けることで形成されている。第２窪み部は、半円柱部の当接面と、鍔部での延出部へ向けて突き出た第２掛り代部とを、レール部材の板厚程度に間隔を空けることで形成されている。したがって、レール部材を半円柱部の当接面に当接させ、かつ、第１窪み部および第２窪み部でレール部材の両長辺を挟持した構成を好適に実現できる。
【００２６】
（５）  前記（４）に記載の遊技機において、
前記第１窪み部の前記第１掛り代部と前記第２窪み部の前記第２掛り代部とのうちの少なくとも一方は、前記レール部材の板厚よりも小さい掛り代としている
ことを特徴とする遊技機。
【００２７】
前記（５）に記載の発明によれば、第１窪み部の第１掛り代部と第２窪み部の第２掛り代部とのうちの少なくとも一方は、レール部材の板厚よりも小さい掛り代としている。したがって、レール部材の両長辺のうちの一辺を第１窪み部または第２窪み部に片入れした状態から、その他辺をその他方の窪み部に入れるという装着法を実現できる。つまり、レール部材を挟持部にスライド挿入するのではなく、レール部材を挟持部に斜め入れできる。
【００２８】
例えば、第１窪み部の第１掛り代部がレール部材の板厚よりも小さい掛り代としている場合には、レール部材の両長辺の一辺を先に第２掛り代部に入れてこのレール部材を斜め姿勢としてから、そのレール部材の他辺を第１掛り代部に入れて装着することができる。また、第１掛り代部ではなく第２窪み部の第２掛り代部がレール部材の板厚よりも小さい掛り代としている場合には、レール部材の両長辺の一辺を先に第１掛り代部に入れてこのレール部材を斜め姿勢としてから、そのレール部材の他辺を第２掛り代部に入れて装着することができる。さらに、第１掛り代部および第２掛り代部の両方ともレール部材の板厚よりも小さい掛り代としている場合には、レール部材の両長辺の一辺を先に第１掛り代部または第２掛り代部に入れてこのレール部材を斜め姿勢としてから、そのレール部材の他辺を他方の掛り代部に入れて装着することができる。
【００２９】
（６）  前記（２）から（５）のいずれか一つに記載の遊技機において、
前記挿入装着部は、その先端側から前記突出部に向かう方向に所定長さだけ切欠かれた切欠部を備えている
ことを特徴とする遊技機。
【００３０】
前記（６）に記載の発明によれば、挿入装着部は、その先端側から突出部に向かう方向に所定長さだけ切欠かれた切欠部を備えている。したがって、挿入装着部が遊技板の貫通孔に挿入される際には、挿入装着部の係止部は、孔径の小さい第１孔の内周に当り、その係止部が切欠部の方に倒れて細くなるように弾性変形して挿入されていき、係止部が第２孔に達するとその弾性変形が解除されて、係止部が第２孔に係止される。よって、挿入装着部が遊技板の貫通孔に挿入し易く、しかも装着状態で回動可能に係止できる構成を好適に実現できる。
【００３１】
（７）  前記（３）に記載の遊技機において、
前記半円柱部の前記当接面には、前記レール部材を位置決めする位置決め突起部を備え、
前記レール部材は、前記半円柱部の前記当接面の前記位置決め突起部が入る受け穴を備えている
ことを特徴とする遊技機。
【００３２】
前記（７）に記載の発明によれば、半円柱部の当接面には、レール部材を位置決めする位置決め突起部を備えている。レール部材は、半円柱部の当接面の位置決め突起部が入る受け穴を備えている。したがって、レール部材を位置決め装着することができる。
【００３３】
（８）  前記（３）に記載の遊技機において、
前記レール部材は、当該レール部材を位置決めする位置決め突起部を備え、
前記半円柱部の前記当接面には、前記レール部材の前記位置決め突起部が入る受け穴を備えている
ことを特徴とする遊技機。
【００３４】
前記（８）に記載の発明によれば、レール部材は、当該レール部材を位置決めする位置決め突起部を備えている。レール部材は、半レール部材の位置決め突起部が入る受け穴を備えている。したがって、レール部材を位置決め装着することができる。
【００３５】
（９）  請求項１に記載の遊技機、または、前記（１）から（８）のいずれか一つに記載の遊技機において、
前記貫通孔は、点在して複数個形成されており、
前記装着支持部材は、その貫通孔の個数分設けられていることを特徴とする遊技機。
【００３６】
前記（９）に記載の発明によれば、貫通孔は、点在して複数個形成されており、装着支持部材は、その貫通孔の個数分設けられている。したがって、レール部材を複数個の装着支持部材で点在支持することができる。
【００３７】
（１０）  請求項１に記載の遊技機、または、前記（１）から（９）のいずれか一つに記載の遊技機において、
前記装着支持部材は樹脂成形されたものとしていることを特徴とする遊技機。
【００３８】
前記（１０）に記載の発明によれば、装着支持部材は樹脂成形されたものとしているので、装着支持部材を容易に成形することができる。
【００３９】
（１１）  請求項１に記載の遊技機、または、前記（１）から（１０）のいずれか一つに記載の遊技機において、
前記遊技機はパチンコ機であることを特徴とする遊技機。
【００４０】
前記（１１）に記載の遊技機によれば、合成樹脂製などの遊技板へのレール部材（例えばガイドレール）の取付精度を向上させることができ、合成樹脂製などの遊技板へのレール部材（例えばガイドレール）取付姿勢の調整もできるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【発明の効果】
【００４１】
この発明に係る遊技機によれば、装着支持部材は、その挿入装着部を遊技板の貫通孔に挿入装着させて、その突出部の挟持部でレール部材を挟持してレール部材を支持することができるので、従来例のような下穴形成および割りピン形状釘の打ち付けを不必要とすることができ、下穴形成精度に起因するガイドレール取付精度の低下の問題を解消することができる。また、装着支持部材は、その挿入装着部が遊技板の貫通孔に挿入装着された状態において回動可能であるので、その支持するレール部材が自然な姿勢となるように挿入装着部を回動させて微調整することもできるし、遊技機の遊技場（ホール）への設置後にレール部材の取付姿勢の調整も行うことができる。その結果、合成樹脂製などの遊技板へのレール部材（例えばガイドレール）の取付精度を向上させることができ、合成樹脂製などの遊技板へのレール部材（例えばガイドレール）取付姿勢の調整もできる遊技機を提供することができる。
【発明を実施するための最良の形態】
【００４２】
以下、パチンコ遊技機（以下、単に「パチンコ機」という）の各種の実施の形態を、図面に基づいて詳細に説明する。
【実施例１】
【００４３】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。
【００４４】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００４５】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００４６】
図１に示すように、内枠１２は、大別すると、その外形を形成する主要部材としての樹脂ベース（図示省略）と、この樹脂ベースの前面側で片開き自在な前面枠セット１４と、樹脂ベース（図示省略）に取り付けられる遊技盤３０（図２参照）とを備えている。
【００４７】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００４８】
前面枠セット１４は、正面視左側で上下方向の開閉軸を軸心にして当該内枠１２に対して開閉自在に取り付けられている。言い換えれば、前面枠セット１４は、樹脂ベース（図示省略）に対して開閉自在となっている。
【００４９】
遊技盤３０（図２参照）は、その遊技領域３０ａを樹脂ベース（図示省略）の開口部に位置させるようにして当該樹脂ベースに着脱自在に取り付けられる。
【００５０】
ここで、もう少し詳細に前面枠セット１４について説明する。
【００５１】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００５２】
下皿ユニット１３は、図１に示すように、その前面側に、下皿１５と球抜きレバー１７と遊技球発射ハンドル１８とを備えている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置（図示省略）などで構成されている。音出力部２４は、前面枠セット１４の正面視で上部の左右２箇所で、その前面枠セット１４の内部あるいは背面箇所に設けられたスピーカからの音を出力するための出力口である。
【００５３】
上皿ユニット２１は、図１に示すように、前面枠セット１４の下部箇所（前述の下皿１５の上方位置）に位置しており、遊技球の受皿としての上皿１９を備えている。ここで、上皿１９は、遊技球を一旦貯留し、一列に整列させながら遊技球発射装置３８の方へ導出するための球受皿である。
【００５４】
前面枠セット１４には、図１に示すように、前述した上皿ユニット２１の上側に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うようにガラスユニット（図示省略）が前面枠セット１４の裏面側に取り付けられたものである。ガラスユニット（図示省略）は、後述するように二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００５５】
加えて、前面枠セット１４は、図１に示すように、その前面側で窓部１０１の周囲（例えば、上箇所、左箇所、右箇所など）に各種の電飾部（後述する上側電飾部４００、左側電飾部４０２、右側電飾部４０４）を備えている。これらの電飾部は、大当たり時や所定のリーチ時等における遊技状態の変化に応じて点灯、点滅のように発光態様が変更制御され遊技中の演出効果を高める役割を果たすものである。例えば、窓部１０１の周縁でその左箇所及び右箇所には、ＬＥＤ等を内蔵した左側電飾部４０２及び右側電飾部４０４がそれぞれに設けられ、窓部１０１の周縁でその上箇所（パチンコ機１０の最上部）には、同じくＬＥＤ等を内蔵した上側電飾部４００が設けられている。
【００５６】
本パチンコ機１０では、左側電飾部４０２、右側電飾部４０４および上側電飾部４００は、大当たりランプとして機能し、大当たり時に点灯や点滅を行うことにより、大当たり中であることを報知する。その他、本パチンコ機１０のコーナー部には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００５７】
また、窓部１０１の下方には貸球操作部１２０が配設されており、貸球操作部１２０には球貸しボタン１２１と、返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５８】
遊技盤３０は、合板ではなく、図２に示すように、正面視でその左上下側の角がとれた略四角形状の合成樹脂板よりなり、その周縁部が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて内枠１２の前面側から視認可能な状態となっている。
【００５９】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第１の始動口３３ｂにも作動口スイッチ（通過検出スイッチ）が設けられ、この第１の始動口３３ｂへの入球をその作動口スイッチにより検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図２に示すように、単一の始動入賞装置で構成されている。
【００６０】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００６１】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００６２】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００６３】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。
【００６４】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。
【００６５】
第３図柄表示装置４２は、例えば液晶表示装置で構成されており、図示省略した表示制御装置により表示内容が制御される。第３図柄表示装置４２には、例えば、左、中及び右の３つの装飾図柄列が表示される。各装飾図柄列は複数の装飾図柄によって構成されており、これら装飾図柄が装飾図柄列毎にスクロールされるようにして第３図柄表示装置４２に可変表示されるようになっている。なお本実施の形態では、第３図柄表示装置４２（液晶表示装置）は、例えば、１１インチサイズの大型の液晶ディスプレイを備える。可変表示装置ユニット３５には、第３図柄表示装置４２を囲むようにしてセンターフレーム４７が配設されている。
【００６６】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００６７】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００６８】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００６９】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は、遊技盤３０の上部から右側までを除いて略半円状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００７０】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム（図示省略）が位置するようになっている。従って、所定以上の勢いで発射された遊技球は、返しゴム（図示省略）に当たって跳ね返されるようになっている。外レール５２は、長尺状をなすステンレス製の金属帯としているので、遊技球の飛翔をより滑らかなものとする、つまり遊技球の摩擦抵抗を少なくすることができる。
【００７１】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００７２】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００７３】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００７４】
従って、本実施の形態では、例えば、遊技領域３０ａの幅（左右方向の最大幅）は、４１８ｍｍであり、遊技領域３０ａの高さ（上下方向の最大幅）は、４７５ｍｍであり、縦長楕円形状となっている。
【００７５】
なお、詳しい図面の開示は省略するが、遊技球発射装置３８には、前面枠セット１４側の球出口（上皿１９の最下流部より通じる球出口）から遊技球が１つずつ供給される。
【００７６】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、主制御装置２６１とサブ制御装置（図示省略）とを一方の取付台（図示省略）に搭載してユニット化すると共に、図３に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００７７】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７８】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００７９】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。
【００８０】
入賞口スイッチ及びゲートスイッチは、図示しない電気配線を通じて盤面接続基板（図示省略）に接続され、さらにこの盤面接続基板が後述する主制御装置２６１内の主制御基板（図示省略）に接続されている。また、カウントスイッチは大入賞口中継端子基板（図示省略）に接続され、さらにこの大入賞口中継端子基板（図示省略）がやはり主制御基板（図示省略）に接続されている。これに対し、作動口スイッチは中継基板を介さずに直接に主制御基板（図示省略）に接続されている。
【００８１】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【００８２】
上記入賞感知機構にて各々検出された検出結果は、後述する主制御装置２６１内の主制御基板（図示省略）に取り込まれ、該主制御基板（図示省略）よりその都度の入賞状況に応じた払出指令（遊技球の払出個数）が払出制御基板（図示省略）に送信される。そして、該払出制御基板（図示省略）の出力により所定数の遊技球の払出が実施される。
【００８３】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板（図示省略）は、賞品球や貸出球の払出を制御する。また、発射制御装置３１２の発射制御基板により、遊技者による遊技球発射ハンドル１８の操作に従い発射装置（図示省略）の制御が行われ、電源装置３１３の電源基板により、各種制御装置等で要する所定の電源電圧が生成され出力される。本実施例の発射装置（図示省略）は、発射ソレノイド（図示省略）への通電／非通電に従って進退自在な発射槌部（図示省略）で遊技球を打ちつけて発射させるソレノイド式発射部品を採用しているが、それ以外の発射装置（図示省略）としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８４】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベースとボックスカバーとが封印ユニット（封印手段）によって開封不能に連結され、これにより基板ボックスが封印されている。
【００８５】
払出制御装置３１１には状態復帰スイッチ（図示省略）が設けられている。例えば、払出モータ部の球詰まり等、払出エラーの発生時において状態復帰スイッチ（図示省略）が押下されると、払出モータ（図示省略）がゆっくり正回転され、球詰まりの解消（正常状態への復帰）が図られるようになっている。
【００８６】
また、電源監視基板（図示省略）にはＲＡＭ消去スイッチ（図示省略）が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ（図示省略）を押しながら電源を投入することとしている。
【００８７】
次に、裏パックユニット２０３の構成を説明する。裏パックユニット２０３は、図３に示すように、樹脂成形された裏パック３５１と遊技球の払出機構部３５２とを一体化したものである。
【００８８】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ（図示省略）等の所定の電気的構成により必要個数の遊技球の払出が適宜行われる。そして、払出装置３５８より払い出された遊技球は払出通路（図示省略）等を通じて上皿１９に供給される。
【００８９】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【００９０】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ（図示省略）の切替操作により電源ＯＮ又は電源ＯＦＦとされるようになっている。
【００９１】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【００９２】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【００９３】
続いて、本実施例のパチンコ機１０のさらなる特徴部分について図４〜図７を用いて説明する。
【００９４】
図４（ａ）は遊技板６０での挟持支持ピン７０が装着された箇所を正面視した要部正面図、図４（ｂ）は図４（ａ）での挟持支持ピン７０の箇所の要部縦断面図、図４（ｃ）は図４（ａ）での挟持支持ピン７０の箇所を裏面視した要部裏面図、図４（ｄ）は、図４（ａ）での挟持支持ピン７０の箇所の要部横断面図である。図５（ａ）は挟持支持ピン７０の正面図、図５（ｂ）は挟持支持ピン７０の側面図、図５（ｃ）は挟持支持ピン７０の裏面図、図５（ｄ）は挟持支持ピン７０の平面図である。図６（ａ）〜（ｃ）は、挟持支持ピン７０およびレール５２の取付過程を示す図である。図７は、挟持支持ピン７０を回動させてレール５２の姿勢を調整する様子を示す図である。
【００９５】
本実施例のパチンコ機１０は、図２に示すように、遊技球が打ち込まれる遊技領域３０ａを有する遊技盤３０を備えている。
【００９６】
遊技盤３０は、図２に示すように、遊技板６０とレール５１，５２とピン挿入孔６１（図４（ｂ）参照）と挟持支持ピン７０とを備えている。
【００９７】
遊技板６０は、遊技盤３０の基体をなすものであり、合板ではなく、合成樹脂製の板材を採用している。この遊技板６０としては、無色透明のものや、半透明なもの、あるいは有色（紺色、黒色、青色など種々の色）タイプのものなど種々のタイプを採用可能である。
【００９８】
レール５１，５２は、図２に示すように、遊技球発射装置３８（図３参照）から発射された遊技球を遊技盤３０の遊技領域３０ａに案内するための長尺状の部材（例えば金属部材）であり、遊技板６０の所定箇所に設けられている。図２では、レール５２は遊技板６０の左側から上部にかけて設けられ、レール５１は、レール５２よりも内側で、かつ、遊技板６０の下部から左側にかけて設けられている。
【００９９】
図４に示したピン挿入孔６１は、図２に示すように、遊技板６０におけるレール５１，５２の配設箇所のうちの所定箇所に形成されている。具体的には、図２に示すように、ピン挿入孔６１は、後述する挟持支持ピン７０の位置ごとに形成されており、レール５１では８箇所、レール５２では９箇所に点在して形成されている。
【０１００】
挟持支持ピン７０は、図２，図４に示すように、遊技板６０のピン挿入孔６１に一部が挿入装着された状態でレール５１，５２を支持する部材である。具体的には、図２に示すように、挟持支持ピン７０は、ピン挿入孔６１の位置ごとに形成されており、レール５１では８箇所のピン挿入孔６１に、レール５２では９箇所のピン挿入孔６１に点在して挿入装着されている。つまり、レール５１用として８本の挟持支持ピン７０が用いられ、レール５２用として９本の挟持支持ピン７０が用いられていることから、合計１７本の挟持支持ピン７０が用いられている。
【０１０１】
なお、本実施例では、挟持支持ピン７０は樹脂成型されたものを採用しているが、金属製や木製の部材を採用してもよい。
【０１０２】
ここで、挟持支持ピン７０の形状等についてもう少し詳細に説明する。なお、挟持支持ピン７０は、レール５１用とレール５２用とで違わず同一のものであるが、以下では、説明の便宜上の理由から、レール５２を支持するものを例に挙げて説明している点に留意されたい。
【０１０３】
挟持支持ピン７０は、図４，図５に示すように、ピン挿入孔６１に挿入されて装着される回動可能な挿入装着部７１と、この挿入装着部７１に連設され、遊技板６０の板面から当該遊技板６０の前方に突出した突出部７３と、を備えている。
【０１０４】
突出部７３は、図４，図５に示すように、レール５２の一方の長辺を遊技板６０に近接させるようにして当該レール５２を遊技板６０上に立設させた状態で挟持する挟持部７５を備えている。
【０１０５】
また、挟持支持ピン７０は、図４，図５に示すように、棒状部材であり、この棒状部材の基端側を前述した挿入装着部７１とし、この棒状部材での挿入装着部７１以外の箇所を前述した突出部７３としている。また、挿入装着部７１は、遊技板６０のピン挿入孔６１に係止する係止爪７７を備えている。
【０１０６】
また、ピン挿入孔６１は、図６（ａ）に示すように、同一の中心線を軸としその孔径が異なる第１孔６３と第２孔６５とを遊技板６０の前面側から裏面側にかけてその順番に形成された同軸二段孔構造となっている。具体的には、遊技板６０の裏面側に位置する第２孔６５は、遊技板６０の前面側に位置する第１孔６３よりも孔径が大きくなっている。
【０１０７】
挿入装着部７１の係止爪７７は、図４（ｂ），図４（ｄ）や図６（ｂ）に示すように、遊技板６０のピン挿入孔６１の第２孔６５に係止する。
【０１０８】
また、突出部７３は、図５に示すように、その遊技板６０に近い側に設けられた、第１孔６３の孔径よりも大きい鍔部８１と、この鍔部８１に連設され、レール５２が当接される当接面８３を有する半円柱部８５と、この半円柱部８５での鍔部８１とは反対側の先端側で当接面８３の上方に延出した延出部８７とを備えている。
【０１０９】
挟持部７５は、図５（ｂ），図５（ｄ）に示すように、延出部８７での鍔部８１に向いた箇所に形成された、レール５２の両長辺のうちで遊技板６０から遠い方の一辺が挿入される第１窪み部８９と、鍔部８１での第１窪み部８９側の所定箇所に形成された、レール５２の両長辺のうちで遊技板６０に近い方の一辺が挿入される第２窪み部９１と、を備えている。
【０１１０】
さらに、この挟持部７５は、図４（ｂ），図４（ｄ）に示すように、レール５２の一方の長辺を第１窪み部８９に挿入し、かつ、レール５２の他方の長辺を第２窪み部９１に挿入することで、レール５２の両長辺のうちで遊技板６０に近い方の一辺を遊技板６０に近接させるようにして当該レール５２を遊技板６０上に立設させた状態で挟持するものである。
【０１１１】
第１窪み部８９は、図５（ｂ）に示すように、当接面８３と、延出部８７での鍔部８１へ向けて突き出た第１掛り代部９３とを、レール５２の板厚程度に間隔を空けることで形成されている。
【０１１２】
第２窪み部９１は、図５（ｂ）に示すように、当接面８３と、鍔部８１での延出部８７へ向けて突き出た第２掛り代部９５とを、レール５２の板厚程度に間隔を空けることで形成されている。
【０１１３】
また、第１窪み部８９の第１掛り代部９３と、第２窪み部９１の第２掛り代部９５の両方とも、レール５２の板厚よりも小さい掛り代としている。
【０１１４】
なお、挟持支持ピン７０の鍔部８１は、図４（ｂ）に示すように、遊技板６０の盤面に接した状態の遊技球Ｂに触れないことから、この鍔部８１に遊技球Ｂが触れて遊技球Ｂの挙動に影響を与えるということがない。また、挟持支持ピン７０の延出部８７は、図４（ｂ）に示すように、ガラス板１３７のガラス面に接した状態の遊技球Ｂに触れないことから、この延出部８７に遊技球Ｂが触れて遊技球Ｂの挙動に影響を与えるということがない。
【０１１５】
また、挿入装着部７１は、図４，図５に示すように、その先端側から突出部７３に向かう方向に所定長さだけ切欠かれた切欠部９７を備えている。
【０１１６】
なお、上述した遊技球発射装置３８が本発明における遊技球発射手段に相当し、上述したレール５１，５２が本発明におけるレール部材に相当し、上述したピン挿入孔６１が本発明における貫通孔に相当し、上述した挟持支持ピン７０が本発明における装着支持部材に相当し、上述した係止爪７７が本発明における係止部に相当する。
【０１１７】
ここで、挟持支持ピン７０の遊技板６０への取付および挟持支持ピン７０へのレール５２の取付手順について、図６を用いて説明する。
【０１１８】
まず、図６（ａ）に示すように、挟持支持ピン７０を、遊技板６０のピン挿入孔６１に挿入する。
【０１１９】
挿入装着部７１は、その先端側で長手方向（挿入方向）に所定長さに切欠かれた切欠部９７を備えているので、挿入装着部７１が遊技板６０のピン挿入孔６１に挿入される際には、挿入装着部７１の係止爪７７は、孔径の小さい第１孔６３の内周に当り、その係止爪７７が切欠部９７の方に倒れて細くなるように弾性変形して挿入されていき、係止爪７７が第２孔６５に達するとその弾性変形が解除されて、係止爪７７が第２孔６５に係止される。
【０１２０】
続いて、図６（ｂ）に示すように、挟持支持ピン７０の当接面８３に対してレール５２を傾斜させた姿勢とし、まず、レール５２の両長辺のうちで遊技板６０に近い方の一辺を、第２窪み部９１に挿入する。つまり、レール５２の両長辺のうちで遊技板６０に近い方の一辺を第２窪み部９１に挿入した片かかり状態とする。
【０１２１】
そして、図６（ｃ）に示すように、レール５２の両長辺のうちで遊技板６０に遠い方の一辺を第１窪み部８９に挿入し、挟持部７５にレール５２を挟持させる。
【０１２２】
こうすることで、挟持支持ピン７０は、その挟持部７５により、レール５２の両長辺のうちで遊技板６０に近い方の一辺を遊技板６０に近接させるようにしてレール５２を遊技板６０上に立設させた状態で挟持している。
【０１２３】
なお、図６では、レール５２の両長辺のうちで遊技板６０に近い方の一辺を第２窪み部９１に挿入した片かかり状態としてから、レール５２の残りの一辺を第１窪み部８９に挿入することで、挟持支持ピン７０の挟持部７５にレール５２を装着しているが、その逆の手順で装着してもよい。つまり、レール５２の両長辺のうちで遊技板６０に遠い方の一辺を第１窪み部８９に挿入した片かかり状態としてから、レール５２の残りの一辺を第２窪み部９１に挿入することで、挟持支持ピン７０の挟持部７５にレール５２を装着するようにしてもよい。
【０１２４】
また、図７に示すように、挟持支持ピン７０は、その挿入装着部７１が遊技板６０のピン挿入孔６１に挿入装着された状態において、そのピン挿入方向を軸としてその軸周りに回動可能であるので、その支持するレール５２が自然な姿勢となるように挿入装着部７１を回動させて微調整することができる。図７では、二点鎖線で示す挟持支持ピン７０を矢印方向に回動させることで、実線で示す挟持支持ピン７０の状態にすることができ、ひいては、この挟持支持ピン７０の当接面８３に挟持されるレール５２も二点鎖線から実線で示す状態に調整されていることがわかる。
【０１２５】
上述したように、本実施例のパチンコ機１０によれば、遊技球が打ち込まれる遊技領域３０ａを有する遊技盤３０は、基体としての合成樹脂製の遊技板６０と、遊技球発射装置３８から発射された遊技球を遊技盤３０の遊技領域に案内するための、遊技板６０に設けられる長尺状のレール５２（またはレール５１）と、遊技板６０におけるレール５２の配設箇所のうちの所定箇所に形成されたピン挿入孔６１と、遊技板６０のピン挿入孔６１に一部が挿入装着された状態でレール５２を支持する挟持支持ピン７０と、を備え、挟持支持ピン７０は、ピン挿入孔６１に挿入されて装着される回動可能な挿入装着部７１と、この挿入装着部７１に連設され、遊技板６０の板面から当該遊技板６０の前方に突出した突出部７３と、を備え、突出部７３は、レール５２の一方の長辺を遊技板６０に近接させるようにして当該レール５２を遊技板６０上に立設させた状態で挟持する挟持部７５を備えているので、挟持支持ピン７０は、その挿入装着部７１を遊技板６０のピン挿入孔６１に挿入装着させて、その突出部７３の挟持部７５でレール５２を挟持してレール５２を支持することができ、従来例のような下穴形成および割りピン形状釘の打ち付けを不必要とすることができ、下穴形成精度に起因するガイドレール（レール）取付精度の低下の問題を解消することができる。
【０１２６】
また、挟持支持ピン７０は、その挿入装着部７１が遊技板６０のピン挿入孔６１に挿入装着された状態において回動可能であるので、その支持するレール５２が自然な姿勢となるように挿入装着部７１を回動させて微調整することもできるし、パチンコ機１０の遊技場（ホール）への設置後にレール５２等の取付姿勢の調整も行うことができる。
【０１２７】
その結果、合成樹脂製の遊技板６０へのレール５２（例えばガイドレール）の取付精度を向上させることができ、合成樹脂製の遊技板６０へのレール５２（例えばガイドレール）取付姿勢の調整もできる遊技機を提供することができる。
【０１２８】
また、挟持支持ピン７０は棒状部材であり、この棒状部材の基端側を挿入装着部７１とし、この棒状部材での挿入装着部７１以外の箇所を突出部７３とし、挿入装着部７１は、遊技板６０のピン挿入孔６１に係止する係止爪７７を備えているので、レール５２を支持する装着支持部材として、棒状部材を採用することができ、ピン挿入孔６１に挿入されて装着される回動可能な挿入装着部７１を好適に実現することができる。
【０１２９】
また、ピン挿入孔６１は、同一の中心線を軸としその孔径が異なる第１孔６３と第２孔６５とを遊技板６０の前面側から裏面側にかけてその順番に形成された同軸二段孔構造であり、遊技板６０の裏面側に位置する第２孔６５の方が遊技板６０の前面側に位置する第１孔６３よりも孔径が大きくなっており、挿入装着部７１の係止爪７７は、遊技板６０のピン挿入孔６１の第２孔６５に係止するので、ピン挿入孔６１に挿入されて装着される回動可能な挿入装着部７１を好適に実現することができる。
【０１３０】
また、突出部７３は、その遊技板６０に近い側に設けられた、第１孔６３の孔径よりも大きい鍔部８１と、この鍔部８１に連設され、レール５２が当接される当接面８３を有する半円柱部８５と、この半円柱部８５での鍔部８１とは反対側の先端側で当接面８３の上方に延出した延出部８７とを備え、挟持部７５は、延出部８７での鍔部８１に向いた箇所に形成された、レール５２の両長辺のうちで遊技板６０から遠い方の一辺が挿入される第１窪み部８９と、鍔部８１での第１窪み部８９側の所定箇所に形成された、レール５２の両長辺のうちで遊技板６０に近い方の一辺が挿入される第２窪み部９１と、を備え、レール５２の一方の長辺を第１窪み部８９に挿入し、かつ、レール５２の他方の長辺を第２窪み部９１に挿入することで、レール５２の両長辺のうちで遊技板６０に近い方の一辺を遊技板６０に近接させるようにして当該レール５２を遊技板６０上に立設させた状態で挟持しているので、挟持支持ピン７０は、遊技板６０のピン挿入孔６１に挿入装着された状態で回動可能であり、かつ、レール５２を遊技板６０上に立設姿勢に保持できる。
【０１３１】
また、第１窪み部８９は、当接面８３と、延出部８７での鍔部８１へ向けて突き出た第１掛り代部９３とを、レール５２の板厚程度に間隔を空けることで形成され、第２窪み部９１は、当接面８３と、鍔部８１での延出部８７へ向けて突き出た第２掛り代部９５とを、レール５２の板厚程度に間隔を空けることで形成されているので、レール５２を半円柱部８５の当接面８３に当接させ、かつ、第１窪み部８９および第２窪み部９１でレール５２の両長辺を挟持した構成を好適に実現できる。
【０１３２】
また、第１窪み部８９の第１掛り代部９３と第２窪み部９１の第２掛り代部９５とは、レール５２の板厚よりも小さい掛り代としているので、レール５２の両長辺のうちの一辺を第１窪み部８９または第２窪み部９１に片入れした状態から、その他辺をその他方の窪み部に入れるという装着法を実現できる。つまり、レール５２を挟持部７５にスライド挿入するのではなく、レール５２を挟持部７５に斜め入れできる。
【０１３３】
また、挿入装着部７１は、その先端側から突出部７３に向かう方向に所定長さだけ切欠かれた切欠部９７を備えているので、挿入装着部７１が遊技板６０のピン挿入孔６１に挿入される際には、挿入装着部７１の係止爪７７は、孔径の小さい第１孔６３の内周に当り、その係止部が切欠部９７の方に倒れて細くなるように弾性変形して挿入されていき、係止爪７７が第２孔６５に達するとその弾性変形が解除されて、係止爪７７が第２孔６５に係止される。よって、挿入装着部７１が遊技板６０のピン挿入孔６１に挿入し易く、しかも装着状態で回動可能に係止できる構成を好適に実現できる。
【０１３４】
また、ピン挿入孔６１は、点在して複数個形成されており、挟持支持ピン７０は、そのピン挿入孔６１の個数分設けられているので、レール５２を複数個の挟持支持ピン７０で点在支持することができる。
【０１３５】
また、挟持支持ピン７０は樹脂成形されたものとしているので、挟持支持ピン７０を容易に成形することができる。
【０１３６】
また、挟持支持ピン７０は、レール５２を挟持しているので、このレール５２をその長手方向（レール長さ方向）にスライド移動させることができる。
【０１３７】
また、挟持支持ピン７０の挿入装着部７１が遊技板６０のピン挿入孔６１に遊嵌されている場合には、その支持するレール５２の反り状態が自然な反り状態となるように挿入装着部７１が回動されるので、挟持支持ピン７０を調整要らずとすることができる。
【実施例２】
【０１３８】
次に、実施例２のパチンコ機１０の挟持支持ピン７０について図８，図９を用いて説明する。図８（ａ）は実施例２の挟持支持ピン７０が装着された遊技板６０の箇所を正面視した要部正面図、図８（ｂ）は図８（ａ）での挟持支持ピン７０箇所の要部縦断面図、図８（ｃ）は図８（ａ）での挟持支持ピン７０箇所を裏面視した要部裏面図、図８（ｄ）は、図８（ａ）での挟持支持ピン７０箇所の要部横断面図である。図９（ａ）は実施例２の挟持支持ピン７０の正面図、図９（ｂ）はその挟持支持ピン７０の側面図、図９（ｃ）はその挟持支持ピン７０の裏面図、図９（ｄ）はその挟持支持ピン７０の平面図である。
【０１３９】
実施例２の挟持支持ピン７０は、図８に示すように、その半円柱部８５の当接面８３の所定箇所に、レール５２を位置決めする位置決め突起部９８を備え、レール５２は、半円柱部８５の当接面８３の位置決め突起部９８が入る受け穴９９を備えている。
【０１４０】
図８（ｂ），図８（ｄ）に示すように、挟持支持ピン７０の当接面８３での位置決め突起部９８は、当接面８３を対向視した状態で、矩形状の突起としており、レール５２の受け穴９９は、その開口視した状態で、位置決め突起部９８が入ることのできる矩形状の穴としている。
【０１４１】
上述したように、実施例２のパチンコ機１０によれば、挟持支持ピン７０は、その半円柱部８５の当接面８３の所定箇所に、レール５２を位置決めする位置決め突起部９８を備え、レール５２は、半円柱部８５の当接面８３の位置決め突起部９８が入る受け穴９９を備えているので、レール５２を位置決め装着することができる。つまり、レール５２がその長手方向や短手方向に位置ずれすることを規制できる。
【０１４２】
また、レール５２の受け穴９９を位置決め突起部９８に対して所定のマージンを持った大きさとすることで、ある程度のレール５２の移動を許容しつつ当該マージン以上には移動させないように規制できる。例えば、レール５２の受け穴９９を位置決め突起部９８に対してそのレール５２の長手方向（レール長さ方向）に所定のマージンを持った大きさとすることで、ある程度のレール５２の長手方向（レール長さ方向）への移動を許容しつつ当該マージン以上には移動させないように規制できる。また、レール５２の受け穴９９を位置決め突起部９８に対してそのレール５２の短手方向（レール高さ方向）に所定のマージンを持った大きさとすることで、ある程度のレール５２の短手方向（レール高さ方向）への移動を許容しつつ当該マージン以上には移動させないように規制できる。また、その長手および短手方向の両方にマージンを持たせてもよい。
【０１４３】
また、レール５２の受け穴９９は、矩形状に限定されるものではなく、当該レール５２の長手方向に沿った溝としてもよい。このような溝とする場合には、レール５２の長手方向への位置ずれは不問であり、レール５２の短手方向への位置ずれを規制できる。
【０１４４】
この発明は、上記実施形態に限られることはなく、下記のように変形実施することができる。
【０１４５】
（１）上述した各実施例では、突出部７３は、レール５２（レール５１であってもよい）の一方の長辺を遊技板６０に近接させるようにしてレール５２を遊技板６０上に立設させた状態で挟持する挟持部７５を備えているが、突出部７３は、レール部材５１の一方の長辺を遊技板６０に当接させるようにしてレール５２を遊技板６０上に立設させた状態で挟持する挟持部７５を備えるようにしてもよい。
【０１４６】
（２）上述した各実施例では、第１窪み部８９の第１掛り代部９３と第２窪み部９１の第２掛り代部９５の両方とも、レール５２の板厚よりも小さい掛り代としているが、第１窪み部８９の第１掛り代部９３または第２窪み部９１の第２掛り代部９５の一方を、レール５２の板厚よりも小さい掛り代としてもよい。
【０１４７】
（３）上述した実施例２では、半円柱部８５の当接面８３は位置決め突起部９８を備え、レール５２はその位置決め突起部９８が入る受け穴９９を備えているが、その逆の構成としてもよい。つまり、レール５２は、当該レール５２を位置決めする位置決め突起部９８を備え、半円柱部８５の当接面８３には、レール５２の位置決め突起部９８が入る受け穴９９を備えるようにしてもよい。
【０１４８】
（４）上述した各実施例では、遊技板６０は合成樹脂製としているが、合成樹脂製以外の遊技板（例えば、ケナフ材などのバイオプラスチック材料で形成された遊技板や、繊維で押し固めて形成された遊技板や、合板の遊技板）であってもよい。
【０１４９】
（５）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１５０】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１５１】
以上のように、この発明は、パチンコ機やスロットマシン等の遊技機に適している。
【図面の簡単な説明】
【０１５２】
【図１】本発明の実施例のパチンコ機の概略正面図である。
【図２】遊技盤の構成を示す正面図である。
【図３】パチンコ機の構成を示す背面図である。
【図４】（ａ）は遊技板での挟持支持ピン箇所を正面視した要部正面図、（ｂ）はその挟持支持ピン箇所の要部縦断面図、（ｃ）はその挟持支持ピン箇所を裏面視した要部裏面図、（ｄ）は、その挟持支持ピン箇所の要部横断面図である。
【図５】（ａ）は挟持支持ピンの正面図、（ｂ）はその側面図、（ｃ）はその裏面図、（ｄ）はその平面図である。
【図６】（ａ）〜（ｃ）は挟持支持ピンおよびレールの取付過程を示す図である。
【図７】挟持支持ピンを回動させてレールの姿勢を調整する様子を示す図である。
【図８】（ａ）は実施例２の挟持支持ピンが装着された遊技板の箇所を正面視した要部正面図、（ｂ）はその挟持支持ピン箇所の要部縦断面図、（ｃ）はその挟持支持ピン箇所を裏面視した要部裏面図、（ｄ）はその挟持支持ピン箇所の要部横断面図である。
【図９】（ａ）は実施例２の挟持支持ピンの正面図、（ｂ）はその側面図、（ｃ）はその裏面図、（ｄ）はその平面図である。
【符号の説明】
【０１５３】
３０  …遊技盤
３８  …遊技球発射装置（遊技球発射手段）
５１  …レール（レール部材）
５２  …レール（レール部材）
６０  …遊技板
６１  …ピン挿入孔（貫通孔）
７０  …装着支持部材（挟持支持ピン）
７１  …挿入装着部
７３  …突出部
７５  …挟持部
【図１】
2008043433.tif 000003
【図２】
2008043433.tif 000004
【図３】
2008043433.tif 000005
【図４】
2008043433.tif 000006
【図５】
2008043433.tif 000007
【図６】
2008043433.tif 000008
【図７】
2008043433.tif 000009
【図８】
2008043433.tif 000010
【図９】
2008043433.tif 000011